(57)【要約】【課題】弾性部材を介在させることによる高い密閉性（遮音性）を維持しつつ、カバー部材を取り付ける際の透明部材の位置変化に起因する被走査面上での光学性能の劣化を抑制できる光書込装置を提供する。【解決手段】光偏向器５０の周囲は側壁１０１、１０２、１０３、１０４で囲まれており、側壁１０１には防音ガラス５１が取り付けられている。側壁１０２の上面１０２Ａは、他の側壁の上面及び防音ガラス５１の上面５１Ａよりも広幅に設定されており、弾性部材８１、８２を介して偏向器カバー４２を固定する際、当接面積の差によって弾性部材８１の圧縮変形量の方が弾性部材８２によりも大きく、これにより防音ガラス５１の倒れが阻止される。【選択図】図４
2014228593.tif 000002
【特許請求の範囲】
【請求項１】
光学ハウジングと、
前記光学ハウジング内に設けられ、光源から出射された光ビームを偏向走査する光偏向器と、
前記光偏向器を包囲するように前記光学ハウジングに設けられた側壁と、
前記側壁の一部を構成するように設けられ、前記光偏向器により偏向走査された光ビームが通過する透明部材と、
前記側壁の上面側を覆うカバー部材と、
を備え、
前記カバー部材で前記側壁の上面側を閉塞する際に、前記側壁と前記透明部材の双方に当接するように弾性部材を介在させ、前記弾性部材を圧縮するように前記カバー部材を固定する光書込装置において、
前記弾性部材が当接する領域のうち、
前記光偏向器を中心として、前記透明部材が配置された側での前記弾性部材の前記側壁の高さ方向における圧縮変形量が、反対側での圧縮変形量よりも大きくなるようにしたことを特徴とする光書込装置。
【請求項２】
請求項１に記載の光書込装置において、
前記透明部材は前記側壁の外面に沿って配置されていることを特徴とする光書込装置。
【請求項３】
請求項１又は２に記載の光書込装置において、
前記透明部材が配置された側での前記弾性部材の当接面積が、反対側での当接面積よりも小さいことを特徴とする光書込装置。
【請求項４】
請求項１又は２に記載の光書込装置において、
前記透明部材が配置された側での前記弾性部材の厚みが、反対側での厚みよりも小さいことを特徴とする光書込装置。
【請求項５】
請求項１又は２に記載の光書込装置において、
前記透明部材が配置された側での前記弾性部材の圧縮抵抗が、反対側での圧縮抵抗よりも小さいことを特徴とする光書込装置。
【請求項６】
請求項１〜５のいずれか１つに記載の光書込装置において、
前記光学ハウジングの上面を覆うハウジングカバーを有し、該ハウジングカバーの少なくとも前記カバー部材に対応する部分は、前記側壁の上面と略同一の高さに設定され、前記カバー部材を固定したとき、前記弾性部材は前記側壁、透明部材及び前記ハウジングカバーに当接することを特徴とする光書込装置。
【請求項７】
画像データに基づいて光書込装置により像担持体に静電潜像を形成し、該静電潜像を現像装置によりトナー像として可視像化し、前記トナー像を最終的に記録媒体に転写して定着する画像形成装置において、
前記光書込装置が請求項１〜６のいずれか１つに記載の光書込装置であることを特徴とする画像形成装置。
【発明の詳細な説明】
【技術分野】
【０００１】
本発明は、画像情報に基づいて像担持体に静電潜像を形成する光書込装置、該光書込装置を有する複写機、プリンタ、ファクシミリ、プロッタ、これらのうち少なくとも１つを備えた複合機等の画像形成装置に関する。
【背景技術】
【０００２】
従来、複数の像担持体上にそれぞれ異なる色の画像（可視像）を形成してこれらの画像を互いに重ね合わせてカラー画像を形成する、いわゆるタンデム型のカラー画像形成装置が知られている。
この種の画像形成装置では、像担持体としての感光体の表面に画像情報に応じた光ビームを光書込装置より照射することにより潜像を形成し、トナー等の現像剤により現像して可視像化し、転写体に転写するようになっている。
転写体には、ベルト状の転写体や、感光体に直接当接する記録シートなどがある。
ベルトを中間転写体として用いる場合には、ベルト表面に各感光体上に形成された色毎の画像を順次転写する１次転写工程と、順次転写されて重畳された画像を記録シートに一括転写する２次転写工程とを経る。
【０００３】
ベルトを搬送体として用いる場合には、ベルト表面に担持した記録シートを各感光体に対向させるように移動させる課程で、各感光体上の画像を記録シートに重畳転写する行程となる
転写後、加熱定着することにより記録シートに画像が定着され、画像形成装置外に排出される。
この種の画像形成装置において、近年は装置の低コスト化や低騒音化、長寿命化が要求されている。
【０００４】
光書込装置では、光ビームを光偏向器により走査し、結像光学素子（結像光学系）により像担持体上に潜像を形成する方法が知られており、一般的に、光偏向器は高速回転する多面鏡を有するポリゴンスキャナが用いられる。
ポリゴンスキャナは高速回転する多面鏡に汚れが付き易く、長寿命化のために密閉構造を採用する場合がある。
完全に密閉構造とするにはアルミダイキャスト製のハウジングで覆う方法があるが、低コスト化は難しい。
低コスト化には、光書込装置の筐体でポリゴンスキャナを囲い、光透過用の透明ガラスを配置し、板金製のカバー部材で覆う略密閉の方法が向いている。
カバー部材に弾性部材を設け、ネジ等でカバー部材を筐体に固定すると密閉度が増し、防音にも効果がある。
【０００５】
特許文献１には、光学ハウジング内のポリゴンスキャナの周囲を側壁で囲み、側壁の一部を、ポリゴンスキャナの回転多面鏡で偏向されたレーザー光を外部に透過させる透過型光学素子で構成した光書込装置が開示されている。
回転多面鏡の高速回転によって生じる熱によるポリゴンスキャナ周辺の光学素子への悪影響を抑制するために、側壁の上面側開口部は放熱機能の高い板金製のカバー部材で覆われている。
透過型光学素子を含めた側壁の上面側とカバー部材との間に弾性部材を設け、弾性部材の変形を利用して複雑な形状でも密閉性を高めて騒音防止機能を向上させている。
【発明の概要】
【発明が解決しようとする課題】
【０００６】
特許文献１における透過型光学素子は、透明ガラスあるいは防音ガラスと呼ばれている。
透明ガラスは僅かに姿勢が変化するだけで、透明ガラス面での反射やガラス内部の反射によって発生するゴースト光が像担持体上に到達する可能性が生じる。
また、透明ガラスの姿勢変化は、各光学素子を調整し、像担持体上で高性能に形成された光ビーム性能を劣化させる原因となりえる。
したがって、側壁に設けられる光ビーム通過用の透明ガラス等の透明部材の姿勢は取り扱いが難しい部分である。
【０００７】
透明ガラスは、高精度に成型した取り付け面に、両面テープや、スプリングなどを用いて固定する方法によって取り付けられる。
すなわち、透明ガラスは、高精度に成型した取り付け面に倣うように配設されるが、カバー部材を取り付ける際に、弾性部材の変形による反力によって、取り付け面から離れ、光ビーム性能を劣化させることがあった。
【０００８】
本発明は、このような現状に鑑みて創案されたもので、弾性部材を介在させることによる高い密閉性（遮音性）を維持しつつ、カバー部材を取り付ける際の透明部材の位置変化に起因する被走査面上での光学性能の劣化を抑制できる光書込装置の提供を、その主な目的とする。
【課題を解決するための手段】
【０００９】
上記目的を達成するために、本発明は、光学ハウジングと、前記光学ハウジング内に設けられ、光源から出射された光ビームを偏向走査する光偏向器と、前記光偏向器を包囲するように前記光学ハウジングに設けられた側壁と、前記側壁の一部を構成するように設けられ、前記光偏向器により偏向走査された光ビームが通過する透明部材と、前記側壁の上面側を覆うカバー部材と、を備え、前記カバー部材で前記側壁の上面側を閉塞する際に、前記側壁と前記透明部材の双方に当接するように弾性部材を介在させ、前記弾性部材を圧縮するように前記カバー部材を固定する光書込装置において、前記弾性部材が当接する領域のうち、前記光偏向器を中心として、前記透明部材が配置された側での前記弾性部材の前記側壁の高さ方向における圧縮変形量が、反対側での圧縮変形量よりも大きくなるようにしたことを特徴とする。
【発明の効果】
【００１０】
本発明によれば、側壁で包囲された光偏向器の上方を弾性部材を介してカバー部材で閉塞することにより防音性を高める構成において、カバー部材の取り付け時の加圧力の偏りによる透明部材の倒れを抑制することができ、被走査面上での光学性能の劣化を抑制することができる。
【図面の簡単な説明】
【００１１】
【図１】本発明の第１の実施形態に係る画像形成装置の概要構成図である。
【図２】光書込装置の構成を示す概要平面図である。
【図３】光書込装置の副走査方向の概要断面図である。
【図４】光書込装置における光偏向器部分の分解斜視図である。
【図５】光書込装置における光偏向器部分の平面図である。
【図６】偏向器カバーの取り付け時に弾性部材に押圧力が均等に掛かる状態を示す模式的断面図である。
【図７】偏向器カバーの取り付け時に弾性部材に掛かる押圧力が均等ではない場合の不具合を示す模式的断面図である。
【図８】第４の実施形態における光学ハウジングの偏向器カバーを取り除いた状態の要部斜視図である。
【図９】同平面図で、（ａ）は弾性部材と偏向器カバーを取り除いた状態の図、（ｂ）は光学ハウジングの上面を塞ぐ上カバーのみの図である。
【図１０】同平面図で、偏向器カバーのみを取り除いた状態の図である。
【発明を実施するための形態】
【００１２】
以下、本発明の実施形態を図を参照して説明する。
図１乃至図７に第１の実施形態を示す。図１に基づいて本実施形態に係る画像形成装置の構成の概要を説明する。
この画像形成装置は、像担持体としての感光体ドラム１０Ｙ、１０Ｃ、１０Ｍ、１０Ｋを配列したいわゆるタンデム型のフルカラー画像形成装置である。
これらの感光体ドラムは、画像形成手段としての各作像装置７Ｙ、７Ｃ、７Ｍ、７Ｋの一部として構成されている。
作像装置７Ｙ、７Ｃ、７Ｍ、７Ｋは順に、イエロー、シアン、マゼンタ、ブラックの各色に対応し、これらの色の画像を作る。
【００１３】
作像装置の上側には、３つの支持ローラ１５ａ、１５ｂ、１５ｃなどに支持されて回転する表面移動部材としての中間転写ベルト１４が設けられている。
中間転写ベルト１４の下側の張設ラインに沿って、矢印で示す中間転写ベルト１４の移動方向に順に、上流側から、作像装置７Ｙ、７Ｃ、７Ｍ、７Ｋが間隔をおいて配置されている。
フルカラー画像の形成に際しては、作像装置７Ｙ、７Ｃ、７Ｍ、７Ｋに設けられた感光体ドラム１０Ｙ、１０Ｃ、１０Ｍ、１０Ｋに各色のトナー画像が形成される。
これら異なる色のトナー画像は、中間転写ベルト１４を間にして各感光体ドラムに対向して配置されている転写手段としての一次転写ローラ１６より中間転写ベルト１４上に順次重ねて転写される。
中間転写ベルト１４上の一次転写ローラ１６が接している箇所は転写位置といい、この転写位置で転写が行われる。
【００１４】
重ね合わせられたトナー像は、最終的に記録媒体としての記録材Ｐに、支持ローラ１５Ａと二次転写ローラ９との二次転写ニップ部で一括転写される。
トナー像を転写された記録材Ｐは、定着ローラ６ａと加圧ローラ６ｂとを有する定着装置６で加熱・加圧されてトナー像を定着され、搬送されて排紙ローラ対により排紙トレイ１９上に排紙される。
こうして、記録材上にフルカラー画像が形成される。
【００１５】
各作像装置７Ｙ、７Ｃ、７Ｍ、７Ｋは、扱うトナーの色が異なるだけであり、機械的な構成及び作像プロセスは共通である。
このため、感光体ドラム以外の各構成部材は同一の符号を付し、任意の一つの作像装置である作像装置７Ｙについて構成及び作像のプロセスを説明する。
作像装置７Ｙの感光体ドラム１０Ｙの周囲には、図中、時計回り方向に順に、感光体ドラム１０Ｙを帯電する帯電手段としての帯電ローラ１１、光ビームＬの照射位置、現像手段としての現像装置１２、一次転写ローラ１６、クリーニング装置１３などが配置されている。
光ビームＬは、光走査手段としての光書込装置４から出射される。光書込装置４の内部には、光源としての半導体レーザー、カップリングレンズ、ｆθレンズ、トロイダルレンズ、ミラー、光偏向器などが備えられている。
各感光体ドラムに向けて各色用の光ビームＬを出射し、感光体ドラム１０Ｙ上の書込位置に画像データに基づいて光ビームＬを照射し、静電潜像を形成する。なお、詳細については、後述する。
【００１６】
作像装置７Ｙの現像装置１２にはイエローの現像剤が収納されていて、現像剤が少なくなると必要に応じてイエロートナーボトルより補充し、潜像をイエロートナーで可視像化する。
他の作像装置についても、それぞれの色の現像剤が収納されていて、その収納されている現像剤の色で潜像を可視像化する。
画像形成に際しては、感光体ドラム１０Ｙが回転して帯電ローラ１１により一様に帯電される。
書込位置でイエロー画像の情報を含む光ビームＬの照射を受けて感光体ドラム１０Ｙ上に静電潜像が形成され、この静電潜像が現像装置１２を通過する間にイエロートナーにより顕像化される。
【００１７】
感光体ドラム１０Ｙ上のイエロートナー像は、一次転写ローラ１６により中間転写ベルト１４に転写される。
中間転写ベルト１４上のイエロートナー画像上に、作像装置７Ｃでシアントナー画像が、作像装置７Ｍでマゼンタトナー画像が、作像装置７Ｋでブラックトナー画像が順次重ねて転写される。これにより、フルトナー画像が形成される。
重ねトナー像が二次転写ニップ部に達するのと同じタイミングで二次転写ニップ部に至るように、記録材Ｐが給紙部５から送り出される。
記録材Ｐは、レジストローラ対によってタイミングを取って搬送され、上記タイミングで二次転写ニップ部に到達する。
前記したように、支持ローラ１５ａと二次転写ローラ９との間の二次転写ニップ部で中間転写ベルト１４上の重ね画像が記録材Ｐに一括転写される。
【００１８】
一方、転写後の感光体ドラムはクリーニング装置１３により残留トナーが除去された後、除電ランプにより除電されて次の画像形成に備えられる。
同様に、中間転写ベルト１４についても、残留トナーなどがクリーニング装置１７により除去される。
上記のように、本実施形態に係る画像形成装置では、各感光体ドラム上のトナー画像を一旦中間転写ベルト１４上に重ね転写して、この重ねトナー画像をシート状の記録材に一括転写する方式であるが、直接転写方式の構成としてもよい。
すなわち、中間転写ベルトに代えて表面移動部材としての記録材搬送ベルトを設け、この記録材搬送ベルトにより記録材を載せて搬送する。
搬送の過程で、各感光体ドラムから順次カラートナー像を記録材上に重ね転写することにより、フルカラー画像を合成することができる。
【００１９】
次に、図２、図３に基づいて光ビームＬを照射する光書込装置４について説明する。
光書込装置４はタンデム式の走査光学系であり、走査レンズ方式を採用しているが、走査レンズ、走査ミラー方式のいずれにも対応可能である。
光書込装置４は、主走査線偏向手段としての光偏向器５０、各種の反射ミラー、各種のレンズ等の光学素子を備えている。
光偏向器５０は、各感光体ドラム１０Ｋ、１０Ｍ、１０Ｃ、１０Ｙにそれぞれ対応する光ビームＬを射出する光ビーム発射手段としての光源４１Ｋ、４１Ｍ、４１Ｃ、４１Ｙを備えている。
一般的に光源は汎用の半導体レーザーＬＤが用いられ、制御基板に半田付けされている。
【００２０】
光源４１から光偏向器５０のミラー部４９までの光ビームの光路上には、コリメートレンズ５２やシリンダレンズ５３が配置されている。
光偏向器５０のミラー部４９から感光体ドラム１０までの光ビームの光路上には、走査レンズ２５、折返しミラー４５が、それぞれ対応した光源４１に対して配設されている。
走査レンズ２５から感光体ドラム１０までの光ビームの光路上に、図示しないが、第二走査レンズを配設してもよい。
また、光源４１から光偏向器５０のミラー部４９までの光ビームの光路上に、反射ミラー５５を配設してもよい。
光源４１から発射された光ビームは、コリメートレンズ５２で略平行光にされ、図示しないアパーチャを通過して、所定の形状の光ビームＬとなる。
【００２１】
アパーチャを通過した光ビームＬは、シリンダレンズ５３に入射して集光され、透明部材としての防音ガラス５１を通過して光偏向器５０のミラー部４９の側面に入射する。
防音ガラス５１は透明ガラスで形成されている。
光偏向器５０のミラー部４９の側面に光ビームＬが入射すると、光ビームＬは主走査方向に偏向走査される。
偏向走査された光ビームＬは、再度、防音ガラス５１を通過した後、走査レンズ２５を通過し、ここで光ビームが感光体ドラム面上で等速走査するように補正され、また、光偏向器５０のミラー部４９の面倒れが補正される。
光ビームＬは折返しミラー４５により反射され、ハウジングカバーとしての上カバー３２に取り付けられた防塵ガラス２８を通過し、光書込装置の外側に出て、対応する感光体ドラム１０上に照射される。
【００２２】
ブラック、マゼンタ画像の書き出し位置を決定するための同期検知機構では、走査レンズ２５を通過した光ビームＬが、同期ミラー６２ＫＭで反射される。
反射された光ビームＬは同期レンズ６３ＫＭを通過し、制御基板６５ＫＭ上に実装されたフォトＩＣに到達し、書き出しタイミングが感知される。
シアン、イエローの感光体ドラム１０Ｃ、１０Ｙに対応した同期検知機構も同様である。
これらの光学素子は光学ハウジングとしての筐体３１に配設され、筐体３１の上開口部は上カバー３２により閉塞される。
【００２３】
図４は、光偏向器５０周辺の分解斜視図である。ここではミラー部４９はわかりやすくするために一段のポリゴンミラーからなる構成として表示している（以下の図において同じ）。
光偏向器５０は筐体３１の底部にネジで固定されており、筐体３１に一体に形成した側壁１０１、１０２、１０３、１０４で周りを包囲されている。
図中左側の側壁１０１には光ビーム透過用の開口部１０５が形成されているとともに、防音ガラス５１の支持部１０６が設けられている。
支持部１０６は側壁１０１の外面に外側に突出するように設けられており、防音ガラス５１はその下端を支持部１０６に支持されてセットされている。
したがって、防音ガラス５１は側壁１０１の外面に沿うように取り付けられている。
【００２４】
換言すれば、防音ガラス５１は光偏向器５０に対して側壁１０１の外側から取り付けられている。
防音ガラス５１は、例えば両面テープで側壁１０１に貼り付けられる。スプリング等で押圧固定してもよい。
側壁１０１、１０２、１０３、１０４の上面１０１Ａ、１０２Ａ、１０３Ａ、１０４Ａ、および防音ガラス５１の上面５１Ａは、略同一高さに設定されている。
光偏向器５０を挟んで側壁１０１と反対側に位置する側壁１０２の上面１０２Ａは、他の側壁及び防音ガラス５１の上面よりも面積を大きくしている。
各側壁の上面側、すなわち光偏向器５０の上方空間は、弾性部材８１、８２を介在させて、カバー部材としての偏向器カバー４２で塞がれている。
【００２５】
偏向器カバー４２の取り付け時、側壁１０１、１０２、１０３、１０４の上面１０１Ａ、１０２Ａ、１０３Ａ、１０４Ａ、および防音ガラス５１の上面５１Ａは、弾性部材８１、８２と各々当接する。
弾性部材８１は、側壁１０１と防音ガラス５１の双方に当接する。
本実施形態において、弾性部材８１、８２は実際には同一の厚みを有し、偏向器カバー４２が筐体３１に雌ネジ部１０７を介して止めネジ１０８（図５参照）で固定される際に圧縮される。
偏向器カバー４２は、一般的なネジではなく、弾性部材８１、８２の圧縮量をコントロールするために段付きネジ等で固定してもよい。
【００２６】
図４において、符号４２ａは止めネジ１０８の挿通孔を、４２ｂは側壁１０３、１０４に一体に形成された位置決めピン１０９に対する挿通孔を示している。
符号８１ａ、８２ａは、止めネジ１０８の挿通孔を示している。
【００２７】
弾性部材８１、８２は、各側壁の上面に沿った形状を有しており、突合せ部分は位置決めピン１０９を囲むように互いに入り込む形状となっている。
筐体３１、側壁１０１、１０２、１０３、１０４、防音ガラス５１、弾性部材８１、８２、偏向器カバー４２で形成される偏向器空間によって、光偏向器５０は簡易的な密閉構造を得ることができる。
【００２８】
ここで、カバー部材の取り付け時に弾性部材を圧縮して、側壁ないし筐体の形状変化に対する追従性及び気密性を得る構成の問題点について説明する。
図６に示すように、弾性部材８１、８２が矢印で示すように同じ押圧力Ｆで押圧され、同じ圧縮量であれば、防音ガラス５１は略鉛直方向より押圧される。
しかしながら、図７に示すように、偏向器カバー４２の取り付け時に、弾性部材８２の圧縮量が弾性部材８１の圧縮量より大きくなるような加圧状態（Ｆ１＜Ｆ２）となる場合がある。
【００２９】
このような場合、偏向器カバー４２には、点線矢印の方向に回転する力が働き、防音ガラス５１は鉛直方向より傾斜した方向に押圧される。
これにより、防音ガラス５１には側壁１０１から外側へ離れる方向に力が働く。この力が何らかの原因で防音ガラス５１の側壁１０１への押圧力より大きくなると、防音ガラス倒れが発生する。
防音ガラス倒れは、感光体ドラム１０上での光学性能を劣化させることに繋がる。
【００３０】
例え、偏向器カバー４２が回転したとしても、防音ガラス５１が側壁１０１に密着する方向に力が働くようにすれば、防音ガラス倒れを抑制することができる。これが本発明の趣旨である。
本実施形態では上記趣旨を具体化すべく、図４、５に示すように、光偏向器５０を中心として、防音ガラス５１が設けられる側と反対側とで弾性部材との当接面積を異ならせている。
すなわち、側壁１０１の上面１０１Ａと防音ガラス５１の上面５１Ａとを合わせた面と、弾性部材８１とが当接する面積に対して、側壁１０２の上面１０２Ａと弾性部材８２とが当接する面積を大きくしている。
【００３１】
換言すれば、弾性部材が当接する領域のうち、光偏向器を中心として、透明部材が配置された側での弾性部材の側壁の高さ方向における圧縮変形量が、反対側での圧縮変形量よりも大きくなるようにしている。
図５では、弾性部材の当接面積における主要対比部分をハッチングで示している。
弾性部材８１、８２が偏向器カバー４２によって押圧された際、弾性部材８２は弾性部材８１に対して圧縮量変形量が小さくなる。
【００３２】
弾性部材８１は、側壁１０１の上面１０１Ａと防音ガラス５１の上面５１Ａを覆うように大きく変形するため、防音ガラス５１は側壁１０１の外面に密着した状態に保持される。
すなわち、弾性部材８１は防音ガラス５１の上面及び側壁１０１の上面１０１Ａからそれぞれの側面にも延びるため、側面に延びた部分によって互いに密着する方向の力を受ける。
このため、防音ガラス倒れを発生させる方向に力が働きにくい。
この場合、弾性部材８１、８２は必ずしも２部材である必要は無い。同一厚みで一体の環状形状としてもよい。
【００３３】
本実施形態では、防音ガラス５１が設けられた側と反対側とで弾性部材の当接面積の大きさを異ならせ、圧縮変形量を異ならせる構成としたが、図４に示すように、弾性部材８１に対して弾性部材８２の厚みを大きくする構成としてもよい（第２の実施形態）。
このようにすれば、同等加重が弾性部材に加わった際に圧縮される量が異なるので、上記と同様の効果を得ることができる。
【００３４】
弾性部材が発泡材である場合、弾性部材８１に対して弾性部材８２の密度を高くして圧縮変形量を異ならせる構成としてもよい(第３の実施形態)。
このようにすれば弾性部材８２では圧縮抵抗が高くなり、同じ厚みでも圧縮量が異なり、上記と同様の効果を得ることができる。
これらの方法は、それぞれ単独でも効果はあり、また、複合しても同様に効果は得られる。
【００３５】
図８乃至図１０に基づいて第４の実施形態を説明する。
ポリゴンスキャナ（光偏向器）は故障等により、製造時だけでなく市場においても交換される部品であり、カバー部材（光学ハウジングのカバー及び偏向器カバー）もその都度開閉されて作業頻度が高く、作業ばらつきも大きい。
本実施形態では、光学ハウジングの上カバー３２を取り外すことなく偏向器カバー４２の着脱操作を可能とし、光偏向器の交換作業の能率向上に寄与することを目的とする。
【００３６】
本実施形態の構成を簡単に説明すると、上カバー３２は、偏向器カバー４２と同等の面積の部分を、段差を有する状態に下方に凹ませ、凹ませた底面積のうち、側壁の上面側の開口面積に対応する部分を開口した構成としている。
開口して残った段差部の底面としての平面部１１１Ａ、１１２Ａは、弾性部材の当接面としてなる。
上カバー３２の形状を上側から見ると、図９（ｂ）に示すような形状となる。
筐体３１に上面を上カバー３２で閉塞すると、平面部１１１Ａ、１１２Ａが側壁の上面の高さと略同一となる。
換言すれば、筐体３１の上面に上カバー３２をセットした状態で、側壁の上面側が光学ハウジングの外側に臨み、上カバー３２を動かすことなく偏向器カバー４２の取り付け、取り外しが可能となる。
【００３７】
上記別体の又は単体の弾性部材を介して偏向器カバー４２を固定すると、弾性部材は、側壁の上面、防音ガラス５１の上面及び上カバー３２の平面部１１１Ａ、１１２Ａに当接した状態で圧縮変形する。
図１０では、弾性部材の当接面積における主要対比部分をハッチングで示している。
本実施形態によれば、上カバー３２の開口部と、光偏向器５０の上方の開口部とを同時に、弾性部材を介して偏向器カバー４２で閉塞することができるので、それぞれの開口部ごとに弾性部材を配設する必要が無い。
これにより、部品のコストダウンが見込めるだけでなく、光偏向器５０の交換時に、偏向器カバー４２のみを外すだけで交換が可能になる。
防音ガラス５１の倒れを抑制する構成は上記実施形態と同様である。
なお、防音ガラス５１は、一般的な透過平行平板や、あるいはレンズ等で置き換えても同様の効果を得ることができる。
【符号の説明】
【００３８】
４  光書込装置
１０  像担持体としての感光体ドラム
１２  現像装置
３１  光学ハウジングとしての筐体
３２  ハウジングカバーとしての上カバー
４２  カバー部材としての偏向器カバー
５０  光偏向器
５１  透明部材としての防音ガラス
８１、８２  弾性部材
１０１、１０２、１０３、１０４  側壁
Ｐ  記録媒体としての記録材
【先行技術文献】
【特許文献】
【００３９】
【特許文献１】特開２００４−１９２０１０号公報
【図１】
2014228593.tif 000003
【図２】
2014228593.tif 000004
【図３】
2014228593.tif 000005
【図４】
2014228593.tif 000006
【図５】
2014228593.tif 000007
【図６】
2014228593.tif 000008
【図７】
2014228593.tif 000009
【図８】
2014228593.tif 000010
【図９】
2014228593.tif 000011
【図１０】
2014228593.tif 000012